(57)【要約】【課題】農作物に寄生して被害を及ぼす複数の害虫である、コナジラミ類、アブラムシ類、アザミウマ類、ハモグリバエ類、ハダニ類、鱗翅目害虫の卵と幼虫、及びカイガラムシ類等の複数の害虫を防除するための、1種類の天敵昆虫を含有する生物農薬を提供するとともに、当該生物農薬を利用する害虫防除方法を提供する。【解決手段】農作物害虫であるコナジラミ類、アブラムシ類、アザミウマ類、ハモグリバエ類、ハダニ類、鱗翅目害虫の卵と幼虫、及びカイガラムシ類を含む複数の害虫の天敵昆虫であるクロヒョウタンカスミカメ（Pilophorus typicus (Distant)）を主成分として含有する生物農薬を用いて、当該複数の害虫を効率的に防除し、農作物の被害を未然に防止する。【選択図】図１
2007297293.tif 000002
【特許請求の範囲】
【請求項１】
農作物害虫であるコナジラミ類、アブラムシ類、アザミウマ類、ハモグリバエ類、ハダニ類、鱗翅目害虫の卵と幼虫、及びカイガラムシ類を含む複数の害虫の天敵昆虫であるクロヒョウタンカスミカメ（Pilophorus typicus (Distant)）を主成分として含有する、コナジラミ類、アブラムシ類、アザミウマ類、ハモグリバエ類、ハダニ類、鱗翅目害虫の卵と幼虫、及びカイガラムシ類を含む複数の害虫を防除するための生物農薬。
【請求項２】
当該生物農薬の主成分であるクロヒョウタンカスミカメは、クロヒョウタンカスミカメの卵、幼虫又は成虫であることを特徴とする請求項１に記載の生物農薬。
【請求項３】
請求項１又は２に記載の生物農薬を用いることを特徴とする、農作物害虫であるコナジラミ類、アブラムシ類、アザミウマ類、ハモグリバエ類、ハダニ類、鱗翅目害虫の卵と幼虫、及びカイガラムシ類を含む複数の害虫の防除方法。
【請求項４】
請求項１に記載の農作物害虫の生息する場所及びその周辺に、当該生物農薬に主成分として含まれるクロヒョウタンカスミカメを放つことを特徴とする、請求項３に記載の害虫防除方法。
【請求項５】
人工増殖させたアブラムシ類、アザミウマ類、スジコナマダラメイガ卵、コナカイガラムシ類、コナジラミ類、ハモグリバエ類、及びハダニ類を餌として、当該生物農薬に主成分として含まれるクロヒョウタンカスミカメを増殖させ、複数のクロヒョウタンカスミカメ個体を放つことを特徴とする、請求項３又は４に記載の害虫防除方法。
【請求項６】
クロヒョウタンカスミカメの人工餌として、飼育前半はスジコナマダラメイガ卵を給餌して育成し、放飼を開始する直前にアブラムシ類、アザミウマ類、コナカイガラムシ類、コナジラミ類、ハモグリバエ類、及びハダニ類を用いてクロヒョウタンカスミカメを育成し、害虫に対する捕食性を高めることを特徴とする、請求項５に記載の害虫防除方法。
【請求項７】
クロヒョウタンカスミカメの人工餌として人工増殖させたアブラムシ類が、麦類に増殖させたムギクビレアブラムシである、請求項５又は６に記載の害虫防除方法。
【請求項８】
人工増殖のための産卵植物として、セダム及びカランコエを含むベンケイソウ科植物；キクを含むキク科植物；トマト、ピーマン及びナスを含むナス科植物；又はインゲンを含むマメ科植物を用いて、クロヒョウタンカスミカメに産卵させ増殖させることを特徴とする請求項３〜７のいずれか１項に記載の害虫防除方法。
【請求項９】
請求項２における生物農薬の主成分がクロヒョウタンカスミカメの卵であって、当該卵を産卵させた植物を孵化直前まで温室内で管理した後、害虫を防除しようとする作物体に配置し、生物農薬の定着と害虫の捕食性を高めることを特徴とする、請求項３に記載の生物防除方法。
【請求項１０】
当該生物農薬に含まれる昆虫捕食性天敵であるカスミカメムシ類は、多数のクロヒョウタンカスミカメから選抜された多食性、かつ休眠性を有しない優良系統であることを特徴とする、請求項１〜９に記載の生物農薬及びそれを用いた害虫防除方法。
【発明の詳細な説明】
【技術分野】
【０００１】
本発明は、作物の多数種の害虫を捕食する天敵昆虫であるクロヒョウタンカスミカメ（Pilophorus typicus (Distant)）を人工的に増殖して、これを農作物圃場に放飼し、複数の害虫を同時に捕食し防除する生物農薬、及び当該生物農薬を用いた害虫防除方法に関するものである。
本発明に係る生物農薬は、日本各地に在来的に生息するクロヒョウタンカスミカメを使用するので、生態系にも何ら悪影響を及ぼさない。本発明は、環境にやさしい天敵昆虫を用いた生物農薬及び害虫防除方法を提供することができる。
【背景技術】
【０００２】
コナジラミ類、アブラムシ類、アザミウマ類、ハモグリバエ類、ハダニ類、鱗翅目害虫の卵と幼虫、並びにカイガラムシ類を含む多数の害虫の成虫及び幼虫は、農作物、例えばトマト、ピーマン(トウガラシ、シシトウを含む)、ナス、キュウリ、キク及びバラ等の枝や葉、果実等に寄生、産卵し、樹液を吸汁したり農作物を食害したりする害虫である。
これらの害虫はいずれも微小な大きさで、増殖率が高く、農作物に与える被害が著しく大きい。これらの害虫を防除するために化学農薬の散布が常時行われているのが現状であるが、いずれも化学農薬に対する抵抗性が発達し、防除効果の低下が問題となっている。
【０００３】
すなわち、化学殺虫剤に対して抵抗性を獲得しているコナジラミ類、アブラムシ類、アザミウマ類、ハモグリバエ類、ハダニ類、鱗翅目害虫及びカイガラムシ類については、殺虫剤による防除は困難である。
例えば、オンシツコナジラミやタバココナジラミなどのコナジラミ類；ミカンキイロアザミウマやミナミキイロアザミウマのようなアザミウマ類；モモアカアブラムシ、ワタアブラムシ及びジャガイモヒゲナガアブラムシのようなアブラムシ類；トマトハモグリバエ、マメハモグリバエなどのハモグリバエ類；ナスコナカイガラムシ、クワシロカイガラムシ、ウメシロカイガラムシ及びクワコナカイガラムシなどのカイガラムシ類等；の害虫の中には化学殺虫剤に対する抵抗性を獲得したものがある。これらの害虫は防除することが難しく、農作物の安定生産にとって最大の障害となっている。
わが国では他に適当な防除法がないために、防虫ネットを張ってこれらの害虫の侵入を抑制し、さらに、化学殺虫剤に依存した防除が継続して行われているが、被害を完全に食い止めることができないままになっている。
このため、化学農薬及び殺虫剤に代わる生物農薬、具体的には天敵昆虫を用いた生物農薬に大きな期待が集まっている。
【０００４】
生物農薬を用いた害虫防除法に関し、害虫であるコナジラミ類に対しては天敵昆虫オンシツツヤコバチ又はサバクツヤコバチが；害虫アブラムシ類に対しては天敵昆虫コールマンアブラバチ、ショクガタマバエ又はヤマトクサカゲロウなどが；害虫ハモグリバエ類に対しては天敵昆虫ハモグリコマユバチ、イサエヤヒメコバチ又はハモグリミドリヒメコバチが；害虫アザミウマ類に対しては天敵昆虫タイリクヒメハナカメムシ又はククメリスカブリダニ等が、生物農薬として登録され使用されている。
しかしながら、害虫であるカイガラムシ類に対しては、未だ実用化されている天敵昆虫はない。また、上述のように害虫１種に対して天敵１種を用いるという防除方法が一般的であり、１種類の天敵によって多数の害虫を防除する実用的な方法はこれまで提案されていなかった。
【０００５】
上記の生物農薬に含まれる天敵昆虫の放飼方法としては、コナジラミ類の天敵オンシツツヤコバチのマミーカードを吊す方法；アブラムシ類の天敵コレマンアブラバチ、ショクガタマバエの蛹若しくは成虫又は天敵ヤマトクサカゲロウの幼虫を圃場内に放す方法；ハモグリバエ類の天敵ハモグリコマユバチ及びイサエヤヒメコバチの成虫を圃場内に放す方法；アザミウマ類の天敵タイリクヒメハナカメムシの成虫をそのまま放す方法あるいは産卵植物にその卵を産ませてこれを放飼する方法（特許文献１）又はククメリスカブリダニの成虫を作物にふりかける方法などが行われている。
【０００６】
また、天敵昆虫の増殖方法としては、天敵ツヤコバチ類にはコナジラミ類を、天敵アブラバチ及びショクガタマバエにはアブラムシ類を、天敵ハモグリコマユバチ及びイサエヤヒメコバチにはハモグリバエ類を、タイリクヒメハナカメムシにはスジコナマダラメイガの卵を、餌として増殖させる方法が報告されている。
【０００７】
しかしながら、スジコナマダラメイガ卵のような代替餌を用いる方法は、増殖には便利であるが、これのみで天敵昆虫を増やすと、実際に圃場内に放したときに寄生力又は捕食性能や産卵能が自然発生のものに比較して劣るという例があり、捕食性能を高める増殖方法の開発が求められている。
また、アザミウマの天敵として利用されているタイリクヒメハナカメムシは休眠性があるため、いずれの個体でも利用できるというものではなく、冬期短日で休眠性を有しない個体群を選抜し天敵として利用する必要がある（非特許文献１、２及び３）。
【０００８】
さらに、天敵の放飼時期に関し、上述のように該天敵と該害虫が１対１の関係にあると、害虫の初発生時期が天敵を放飼する適期となる。このため予防的に害虫が発生する前から天敵を放飼するということができず、また、他の害虫が発生したときは当該害虫に効果ある異なる天敵を別途放す必要があった。
【特許文献１】特開２００５−０９８２５１号明細書
【非特許文献１】高知県農業技術センター、高井幹夫、平成１２年度  農水省技術成果「天敵を利用した促成栽培ナスにおける総合的害虫管理」
【非特許文献２】柿元一樹、日本典秀、野田隆志  「鹿児島産ヒメハナカメムシ類３種の飼育温度と日長に関する反応」  日本応用動物昆虫学会誌  第４７巻、第１巻、１９−２８頁、２００３年
【非特許文献３】高知県農業技術センター、高井幹夫、日本応用動物昆虫学会大会要旨４０、２０９頁、１９９６年
【発明の開示】
【発明が解決しようとする課題】
【０００９】
上記の通り、天敵昆虫を含む生物農薬を用いたいくつかの害虫防除法が提案されているが、害虫であるカイガラムシ類に対して有効な生物農薬は、全く市販されていない。このような状況下、カイガラムシ類に対して効果の高い生物農薬の出現が望まれている。
【００１０】
また、天敵昆虫を含む生物農薬を使用した防除方法において、人工的に飼育した天敵と自然発生した天敵とでは、その捕食性と産卵能に差があるという報告があることから、人工的に飼育した天敵の捕食性と産卵能を改善する方法の開発が求められていた。
【００１１】
さらに、現在、ハダニ類やハモグリバエ類等の害虫では多くの種類の生物農薬が市販されているものの、実際の生物農薬の施用は、害虫と天敵昆虫が１：１の関係（害虫１種に対して天敵昆虫１種を用いる関係）であった。このため、１種の天敵で複数の害虫を同時に防除することができる、効率的な害虫の防除方法の開発が求められていた。
【課題を解決するための手段】
【００１２】
本発明は上記課題を解決するためになされたものであって、農作物害虫であるコナジラミ類、アブラムシ類、アザミウマ類、ハモグリバエ類、ハダニ類、鱗翅目害虫及びカイガラムシ類等の複数の害虫を捕食する天敵であるクロヒョウタンカスミカメ（Pilophorus typicus (Distant)）を主成分として含有する、コナジラミ類、アブラムシ類、アザミウマ類、ハモグリバエ類、ハダニ類、鱗翅目害虫の卵と幼虫、及びカイガラムシ類を含む複数の害虫を防除するための生物農薬、及び当該生物農薬を利用した上記複数の害虫の防除方法を提供することを目的とする。
【００１３】
本発明では、まず、害虫であるコナジラミ類、アブラムシ類、アザミウマ類、ハモグリバエ類、ハダニ類、鱗翅目害虫の卵と幼虫、及びカイガラムシ類等の複数の害虫を効率的に防除するために、従来から知られている天敵昆虫とは異なる、多数の害虫を捕食する天敵クロヒョウタンカスミカメを探索すると同時に、その防除効果を調べた。すなわち、クロヒョウタンカスミカメを国内各地から採取し、休眠性がない系統、産卵数の多い系統、捕食昆虫数の多い系統を兼ね備えた系統を選抜した。
採集方法として、各地にピーマンを栽培し、その株内部に発光式黄色粘着トラップを設置し、このトラップに捕獲された天敵の中からクロヒョウタンカスミカメの有無を確認した後、花に徘徊する雌雄を捕獲して増殖させた。
この結果、調査したいずれの地域からもクロヒョウタンカスミカメは採取され、形態的な差は殆どなかった。寒地で採取したものは休眠性を有する個体も認められたが、暖地で採取した個体の休眠性は認められなかった。また、いずれの個体も、年３〜４回の発生で、卵から成虫までは２６〜３０日（１６Ｌ，８Ｄ：２５℃（温度２５℃、１６時間光照射・８時間暗黒下条件））を要した。このため、人為的に放飼する天敵昆虫としてクロヒョウタンカスミカメが有効であることが判明した。
【００１４】
本発明の生物農薬の主成分であるクロヒョウタンカスミカメは、その卵、幼虫又は成虫のいずれの形態でも使用することができ、また、これらを組み合わせても使用することができる。
すなわち、クロヒョウタンカスミカメの卵から成虫までの期間は２５℃の条件下で２８日程度であり、クロヒョウタンカスミカメの幼虫は害虫の捕食能力も高いため、成虫のみの放飼にこだわる必要がない。このため成虫の平均寿命期間４５日とあわせて、幼虫期間１６日を加えると実に６１日以上の捕食活動期間を持つ著しく有望な天敵であり、この間に大量の害虫の捕食を行い、高い防除効果が期待できるものである。また、卵放飼を行ったとしても、孵化直後から葉上で捕食活動に入るため、十分に害虫防除効果が期待できる。
【００１５】
本発明の生物農薬を用いた害虫の防除方法によれば、農作物の害虫であるコナジラミ類、アブラムシ類、アザミウマ類、ハモグリバエ類、ハダニ類、鱗翅目害虫の卵と幼虫、及びカイガラムシ類等の複数の害虫が生息する場所及びその周辺に、主成分としてクロヒョウタンカスミカメを含有する本発明の生物農薬を放つことにより、効果的にコナジラミ類、アブラムシ類、アザミウマ類、ハモグリバエ類、ハダニ類、鱗翅目害虫の卵と幼虫、及びカイガラムシ類を含む複数の害虫を防除することができる。
本発明の生物農薬に含有されるクロヒョウタンカスミカメは、本種１種のみを放すだけで複数種の害虫を捕食する。従って、従来のように、害虫の種類ごとに複数の天敵昆虫を放飼する必要がないため、防除時間と労力を著しく簡潔かつ省力化できる。
クロヒョウタンカスミカメの選好性（嗜好性）は、コナジラミ類、鱗翅目害虫の卵と幼虫、ハダニ類、アブラムシ類、カイガラムシ類、アザミウマ類、ハモグリバエ類の順である。このため、作物圃場における重要害虫の順に食べ尽くしていくため、複数の害虫防除が著しく効率的に行われる。
【００１６】
本発明による複数の害虫の防除方法において、人工増殖させたアザミウマ類、アブラムシ類、スジコナマダラメイガ卵、コナカイガラムシ類、コナジラミ類、ハモグリバエ類、及びハダニ類を餌として、本発明の生物農薬に主成分として含まれるクロヒョウタンカスミカメを増殖させ、この増殖させた複数のクロヒョウタンカスミカメ個体を防除すべき農作物害虫が生息する場所及びその周辺に放つことにより、効果的に農作物害虫を防除することができる。
すなわち、本発明の防除方法に基づき、人工増殖させたアザミウマ類、アブラムシ類、スジコナマダラメイガ卵、コナカイガラムシ類、コナジラミ類、ハモグリバエ類、及びハダニ類などを餌として、クロヒョウタンカスミカメを増殖させ、害虫の大発生前から農作物圃場内やその周辺に放飼することが可能になり、害虫の防除効果を著しく高めるという効果を発揮する。
クロヒョウタンカスミカメの餌として、人工増殖させるアブラムシ類のうち、好ましくは麦類に増殖させたムギクビレアブラムシを利用することができる。
【００１７】
また、本発明による複数の害虫の防除方法において、クロヒョウタンカスミカメの人工餌として、飼育前半はスジコナマダラメイガ卵を給餌して育成し、放飼を開始する直前にアブラムシ類、アザミウマ類幼虫、コナカイガラムシ類幼虫、コナジラミ類、ハモグリバエ類、及びハダニ類を餌として用いてクロヒョウタンカスミカメを育成し、害虫に対する捕食性を高めることができる。ここでも、餌として人工増殖させるアブラムシ類のうち、好ましくは麦類に増殖させたムギクビレアブラムシを利用することができる。
本発明の上記方法に基づき、天敵昆虫であるクロヒョウタンカスミカメを増殖させると、害虫の捕食性を効果的に高めることが可能である。
【００１８】
ここで天敵昆虫クロヒョウタンカスミカメの餌昆虫について説明する。
例えば、人工増殖させる餌がアブラムシ類であれば、ムギクビレアブラムシをその１種として使用し、その餌として麦類またはソルゴーなどを使用することができる。また、スジコナマダラメイガでは、小麦粉などの穀物を餌として人工増殖したスジコナマダラメイガを産卵させて使用することができる。また、コナジラミ類では、インゲンマメ等の豆類の葉に産卵させ孵化幼虫としてこれを餌として用いることができる。このように複数の人工増殖可能な餌が存在することから天敵昆虫クロヒョウタンカスミカメは容易に飼育することができ、従って、天敵昆虫として製剤化して供給することを容易ならしめるという効果を発揮する。
【００１９】
本発明による複数の害虫の防除方法において、天敵昆虫であるクロヒョウタンカスミカメを人工増殖するため、産卵させる植物として、セダム及びカランコエを含むベンケイソウ科植物；キクを含むキク科植物；トマト、ピーマン及びナスを含むナス科植物；又はインゲンを含むマメ科植物を挙げることができる。もちろん、クズ、クローバー、イチゴ、アカメガシワ、ツツジ、キュウリ等の植物も用いることができる。これらの植物を使って、クロヒョウタンカスミカメに産卵させ、孵化幼虫に上述した餌昆虫又は卵を給餌して増殖させることにより、クロヒョウタンカスミカメを著しく効率的に増殖させることができる。
【００２０】
本発明による複数の害虫の防除方法の一態様として、本発明の生物農薬の主成分がクロヒョウタンカスミカメの卵である場合、当該卵を産卵させた植物を孵化直前まで温室内で管理した後、害虫を防除しようとする作物体に配置し、生物農薬の定着と害虫の捕食性を高めることを特徴とする防除方法が挙げられる。
例えば、クロヒョウタンカスミカメの卵の形で作物栽培圃場へ放飼を行う場合、産卵させた植物を温度が２２．５℃〜２５℃の暖かい部屋に置いて孵化に近づけた後、孵化直前または孵化直後に作物体上又はその周囲に配置することにより、天敵昆虫の放飼時期の調節が可能であり、また、圃場が広い場合でも均一に天敵昆虫を放飼することができる。
すなわち、産卵させた植物の産卵部位のみを切り取って又は株をそのまま配置する方法により、広範囲に天敵昆虫を放飼することが可能となり、害虫防除効果を安定させることが可能となる。また、天敵昆虫を放飼した場合に餌がない状態であっても、株の周囲に餌昆虫を給餌することにより、天敵昆虫の増殖が可能であり、さらに安定した防除効果を発揮させることができる。
【００２１】
本発明の生物農薬及びそれを用いた複数の害虫の防除方法で使用される、昆虫捕食性天敵であるカスミカメムシ類は、多数のクロヒョウタンカスミカメから選抜された多食性、かつ休眠性を有しない優良系統であることを特徴とする。
本発明で使用する捕食性昆虫であるクロヒョウタンカスミカメは、複数の地域のクロヒョウタンカスミカメから採取した群より選抜された多食性かつ休眠性を有しない優良系統であるため、放飼したときに害虫の捕食量が多いという利点を有する。また、寒くなり日長が短くなっても休眠しないため継続して使用することができ、年間のいつでも利用可能な高い防除効果を発揮することができる。
【００２２】
自然界ではクロヒョウタンカスミカメは多種多様な植物上で見つけることが可能である。キュウリやナスなどの作物上にもいる。クロヒョウタンカスミカメは、野外ではクモ類などの餌となるため、目立った天敵昆虫ではないが、農作物栽培施設内では天敵が少ないため優占種となりやすい性質がある。このため野外では、特にクズでスウィーピング（sweeping）すると、どこでも採取が可能である。しかし、数多くは困難であるので、上記の通り本発明に基づき、人工餌や増殖植物を利用して増殖させることが望ましい。
【００２３】
ここで、本発明に基づく、クロヒョウタンカスミカメの害虫に対する防除効果について説明する。上記の方法で選抜したクロヒョウタンカスミカメの１系統を用いて防除効果を調べた。
まず、スジコナマダラメイガの卵を餌としてクロヒョウタンカスミカメ１０頭を増殖させ、これにオンシツコナジラミ幼虫、タバココナジラミ幼虫、ミカンキイロアザミウマ幼虫、並びにアブラム成虫及び幼虫を餌として捕食させた。
この結果、１日当たりの捕食数は、オンシツコナジラミ蛹を、雌は最大３０頭、雄は最大２０頭捕食した。タバココナジラミ蛹についてもほぼ同様であった。ミカンキイロアザミウマ幼虫５頭、アブラム成虫１１頭を捕食した。
また、捕食する餌の嗜好（好み）を調べるため、同時にこれらの害虫を１０頭ずつ捕食させると、タバココナジラミ、オンシツコナジラミ、アブラムシ及びミカンキイロアザミウマの順に捕食した。
【００２４】
本発明の生物農薬及びそれを用いた害虫防除方法で使用する、クロヒョウタンカスミカメの飼育及び増殖法を以下に説明する。
例えば、クロヒョウタンカスミカメの餌として使用するアブラムシが、ムギクビレアブラムシの場合には、大麦上でムギクビレアブラムシを飼育する。スジコナマダラメイガを餌とする場合は、小麦粉など穀物類を餌として人工増殖したスジコナマダラメイガを交尾させて産卵用紙面に産卵させて集めて餌とする。コナジラミ類の場合はインゲンマメ等の豆類の葉に産卵させて孵化幼虫とし、餌とする。
増殖させたこれらの餌昆虫は、クロヒョウタンカスミカメの飼育容器内に放し、これによってクロヒョウタンカスミカメを増殖させることができる。
【００２５】
クロヒョウタンカスミカメは、多くの植物に産卵することができる。上述の通り、産卵植物としてベンケイソウ科の多肉植物であるセダム、カランコエ等はもとよりキク科植物としてキク、マメ科植物としてインゲン、クローバー、クズ、その他イチゴ、アカメガシワ、ツツジ、ナス、キュウリ、ピーマン等にも産卵することができる。
例えば、これらの産卵可能植物のなかからセダムを選定し、クロヒョウタンカスミカメに産卵させ孵化させ、幼虫に餌昆虫または餌の卵を給餌して育て、世代を繰り返すことにより増殖させることができる。また、同時に砂糖を餌として給餌することにより産卵数と産卵能力を高めることもできる。
【００２６】
上記のようにして飼育した場合の、クロヒョウタンカスミカメの生態について以下に記載する。
上記のようにして飼育したクロヒョウタンカスミカメは休眠性がなかった。飼育条件は、温度２５℃、１６時間光照射・８時間暗黒下条件（１６Ｌ，８Ｄ：２５℃）で、１２１±５２卵で、雌雄の比は１：１であった。また、餌をスジコナマダラメイガ卵とした場合、クロヒョウタンカスミカメの産卵数は平均１２０卵程度だったが、シルバーリーフコナジラミを餌とした場合では産卵数は６０卵程度に減少した。また、アブラムシ類、コナカイガラムシ幼虫及びハダニ類を餌とした場合も産卵数は６０〜８０卵程度とやや少なかった。
飼育したクロヒョウタンカスミカメは、卵期間が１２日程度、幼虫期間が１６日程度、成虫期間が平均４５日であり、最大８３日の生息が認められる個体もいた。幼虫期間のコナジラミ捕食数は１００〜１１０頭／頭、成虫期間のコナジラミ幼虫捕食頭数は２００〜３５０頭／頭で、合計４５０頭／頭程度を捕食した。
また、産卵植物による産卵数には差が認められ、多肉植物セダムでは１２０個／雌１頭であったが、カランコエでは１２１個／雌１頭程度とやや多かった。また、雄雌各１頭当たり、クズでは１０２個、イチゴでは６４個、ツツジでは２４個、ナスでは９５個、キュウリ８５個、及びピーマンでは９９個程度であった。
生育温度は、発育ゼロ点が１２℃、最高温度３０℃、２２〜２５℃で捕食活動が活発であった。
【発明の効果】
【００２７】
本発明によれば、複数の害虫の天敵であるクロヒョウタンカスミカメを主成分として含有する害虫防除用の生物農薬を用いることにより、化学農薬を用いることなく、害虫による農作物の被害を抑制するという効果を発揮する。このため、本発明は環境負荷を軽減するという効果をも併せ持つものである。
本発明によれば、１種類の天敵で複数の害虫の発生を抑制するため、省力化した防除方法を提供することができる。また、生物農薬の放飼時期についても、育苗期の苗への放飼をも可能とするため、害虫防除を著しく簡便にするという効果を発揮する。さらには、薬剤抵抗性の発達した化学農薬は、長期間使用しないと効果が回復することがある。生物農薬を使用することによって抵抗性の発達した化学農薬を使用する必要がない期間が長くなるため、感受性の回復という観点からも有益である。尚、クロヒョウタンカスミカメは化学農薬の影響を受けやすく、化学殺菌剤を散布した圃場での使用はむしろ効果が低下するという現象を生ずる。
【発明を実施するための最良の形態】
【００２８】
以下に、本発明の実施形態についてさらに説明する。
クロヒョウタンカスミカメの飼育方法については複数の方法がある。ここではコナジラミを餌とした場合の飼育方法を一例として述べる。２５℃の恒温室においてインゲンマメを栽培し、コナジラミの成虫１００頭を放し増殖させる。次々にインゲンマメを入れ替えてコナジラミの幼虫を増やす。２５℃の室温に置いた別の飼育箱にカランコエ１０株と砂糖粒５ｇとクロヒョウタンカスミカメ１００頭を放し、コナジラミ幼虫が発生したインゲンマメ葉を数葉、毎日入れて餌として与える。１４日後にカランコエ葉上にクロヒョウタンカスミカメ幼虫が見られるようになるので、これを採取して別の飼育箱に移し成虫になるまで同様にして育成する。ハモグリバエを餌とした場合もほぼ同様である。
【００２９】
次に、スジコナマダラメイガ卵を餌とした場合の飼育方法を述べる。２５℃の恒温室において飼育箱にカランコエ１０株と砂糖粒５ｇとクロヒョウタンカスミカメ１００頭を放し、浅い容器にペーパーを敷き、スジコナマダラメイガ卵を餌として毎日２０００〜５０００粒程度を給餌する。１４日後にカランコエ葉上にクロヒョウタンカスミカメの紅色の幼虫が観察できるようになるので、これらを採取して別の飼育箱に移し成虫になるまで同様にして給餌する。
また、この間にコナジラミ幼虫、アザミウマ幼虫を給餌すると、圃場に放飼したときに直ちに害虫の捕食活動に入るようにできる。また、ピーマンやナスなどの植物への産卵数も多くなり害虫防除効果を高めることが可能になる。
これらの増殖させたクロヒョウタンカスミカメの幼虫、成虫又は卵を採取して、コナジラミ類、アブラムシ類、アザミウマ類、ハモグリバエ類、ハダニ類、鱗翅目害虫の卵と幼虫、及びカイガラムシ類を含む複数の害虫の初発生の低密度期を狙い、農作物栽培圃場に放す。放す方法は、これらの害虫の生息位置又はそれに近い位置が好ましい。また、育苗後期の本圃移植直前に各々の株に放飼して定植すると、すべての株にも定着させることが可能である。
また、クロヒョウタンカスミカメ成虫には飛翔能力があるため、圃場の片隅に放したとしても、施設栽培であれば７日程度で圃場全体に広がり定着することができる。あるいは、最初から満遍なく定着させようとするならば、卵または幼虫を害虫近接に又は各々の作物株に放すことが望ましい。放す頭数は害虫の発生量、または季節により異なるため、定数はないが、目安として株当たり５頭を放すことが望ましい。これにより害虫の著しい増加を抑制することができる。
【００３０】
クロヒョウタンカスミカメは、人工増殖させたアザミウマ類、アブラムシ類、スジコナマダラメイガ卵、コナカイガラムシ類、コナジラミ類、ハモグリバエ類、及びハダニ類から選ばれるいずれをも餌として増殖させることができる。例えば、飼育容器にクロヒョウタンカスミカメを雌雄各１０頭づつ入れ、産卵基質であるカランコエ株と糖分を与えると、交尾雌は産卵し始める。毎日数個を産卵し、合計120個程度を産卵する。温度は１５℃では４８日間、２０℃では３２日間、２５℃では２６日間、２８℃では２０日間でクロヒョウタンカスミカメが１世代を繰り返し増加する。これらを順次採取して天敵農薬として利用することができる。
【００３１】
クロヒョウタンカスミカメは、特に、カランコエ、セダムなどのベンケイソウ科の多肉植物に産卵すると植物が乾燥に強いため増殖しやすい。これらの植物に産卵させた上で加温し孵化直前まで静置しておき、作物栽培圃場に植物体ごと配置するとクロヒョウタンカスミカメの幼虫が作物体上を徘徊して害虫を捕食するため、効率的に害虫の増殖を抑制することができる。また、この方法によれば天敵昆虫であるクロヒョウタンカスミカメを著しく効率的に増やして利用することができる。
【実施例】
【００３２】
次に実施例により本発明を更に詳細に説明する。
（実施例１）  クロヒョウタンカスミカメの産卵、生育及び寿命 
クロヒョウタンカスミカメに、スジコナマダラメイガ卵及び砂糖を餌として与え、２５℃で管理・飼育し、産卵数、産卵期間及び雌雄比などを調べた。また、０℃から３５℃までの間で管理・飼育し、卵期間、成虫までの成育速度などについても雌雄について調べた。
【００３３】
この結果、羽化後産卵を開始するまでに５日程度を要し、総産卵数は１２１卵程度、産卵期間は４０日程度であった。成虫の平均寿命は雌が４５〜４８日、雄が３９日程度であった。雌雄の性比は１対１であった。（表１）。また、卵、幼虫及び成虫の発育速度を図１と図２にグラフで示した。
【表１】
2007297293.tif 000003
【００３４】
（実施例２）  クロヒョウタンカスミカメ幼虫及び成虫の捕食能力
実施例１により、優良系統のクロヒョウタンカスミカメの基本的生態が明らかになった。そこで、クロヒョウタンカスミカメの、コナジラミ類幼虫、アザミウマ類幼虫、アブラムシ類、及びカイガラムシ類幼虫に対する捕食能力を調べた。
２５℃の容器内にクロヒョウタンカスミカメ成虫または幼虫を１頭ずつ入れて飼育し、シルバーリーフコナジラミ、ミカンキイロアザミウマ幼虫、モモアカアブラムシ、ナスコナカイガラムシ幼虫を給餌し、捕食総数（頭）と成虫寿命（日）を調べた。結果を表２に示す。
【００３５】
【表２】
2007297293.tif 000004
表２の通り、クロヒョウタンカスミカメは、シルバーリーフコナジラミ、ミカンキイロアザミウマ幼虫、モモアカアブラムシ及びナスコナカイガラムシ幼虫を、成虫で各々３８０、１８０、１２０及び１２０頭、また、幼虫で２５０、１４０、９１及び５６頭、捕食または食い殺した。この結果から、クロヒョウタンカスミカメは、コナジラミ類幼虫、アザミウマ類幼虫、アブラムシ類、及びカイガラムシ類幼虫に対して著しく捕食能力が高いことが判明し、これらを含む複数の害虫の同時防除に、最も有力な捕食性天敵昆虫であることが証明された。
【００３６】
（実施例３）  クロヒョウタンカスミカメの発育日数
シルバーリーフコナジラミを餌として飼育したクロヒョウタンカスミカメの１世代の２０．０、２２．５、２５．０、２７．５及び３０．０℃での発育所要日数を雌雄別に調べた。
結果を表３に示す。表３の通り、シルバーリーフコナジラミを餌として飼育したクロヒョウタンカスミカメの１世代の所要日数は２０．０、２２．５、２５．０、２７．５及び３０．０℃で、雌では各々４５、３３、２８、２２及び２０日だった。同様に雄では、４６、３４、２８、２２及び２０日だった。
この結果から、クロヒョウタンカスミカメは、他の天敵に比較し著しく寿命が長く、捕食量も多いため天敵として有力に働くことが確認された。
【表３】
2007297293.tif 000005
【００３７】
（実施例４）  ピーマン栽培施設におけるクロヒョウタンカスミカメと害虫の発生消長
高知県の９月定植のピーマン栽培施設において、定植１４日後に施設内にクロヒョウタンカスミカメ成虫５００頭及び幼虫１０００頭を放飼した。ピーマン1株当たりのクロヒョウタンカスミカメの生息頭数を調べるとともに、ピーマンでの産卵部位を確認した（天敵区）。
定植後から、黄色粘着板によるコナジラミ類誘殺数の推移、花房中のアザミウマ生息数、葉当たりのアブラムシ寄生数、及びナスコナカイガラムシの寄生株数を1ヶ月間隔で調べた。対照として、クロヒョウタンカスミカメを放飼しない慣行栽培における同害虫の発生消長も調べた（慣行区）。
【００３８】
その結果を表４に示した。天敵昆虫であるクロヒョウタンカスミカメの株当たり頭数は１０月頃の最初の頃は少なかったが、漸増し、３月以降は増加が著しく、気温の高まりとともに増殖率が高まることが判明した。なお、ピーマン圃場では、ピーマンの成長点付近の柔らかい茎での産卵が確認された。
【００３９】
害虫であるコナジラミ類の発生について、対照である慣行栽培では粘着板への誘殺数は漸増し、３月以降は著しく多数発生した。これに対して、天敵クロヒョウタンカスミカメ放飼区では発生が少なく推移し、増加が極めて有効に抑制された。
また、別の害虫であるアザミウマ類については、花房中のヒラズハナアザミウマ及びミカンキイロアザミウマは、天敵放飼区で発生が少なく、慣行区では多かった。一方、アブラムシ類は、天敵放飼区で発生がやや少なかったが、慣行区との差は小さかった。ナスコナカイガラムシでは、慣行区に比べて天敵放飼区で寄生株が著しく少なく、天敵クロヒョウタンカスミカメによる害虫防除の高い効果が認められた。
このようにクロヒョウタンカスミカメの複数害虫への高い防除効果が認められた。なお、天敵放飼区では、農薬の散布は行わなかった。一方、慣行区では毎週防除のために殺虫剤の散布を行った。
【表４】
2007297293.tif 000006
【００４０】
（実施例５）  ナス栽培施設におけるクロヒョウタンカスミカメと害虫の発生消長
高知県の９月定植のナス栽培施設において、定植１５日後に施設内にクロヒョウタンカスミカメ成虫１０００頭及び幼虫１０００頭を放飼した。ナス１株当たりのクロヒョウタンカスミカメの生息頭数を調べるとともに、ナスでの産卵部位を確認した（天敵区）。
定植後から黄色粘着板によるコナジラミ類誘殺数の推移、花房中のアザミウマ生息数、葉当たりのアブラムシ寄生数、及びナスコナカイガラムシの寄生株数を１ヶ月間隔で調べた。クロヒョウタンカスミカメを放飼しない慣行栽培における同害虫の発生消長も調べた（慣行区）。
【００４１】
その結果を表５に示した。天敵昆虫であるクロヒョウタンカスミカメの株当たり頭数は１０月頃の最初の頃は少なかったが、漸増して３月以降は顕著に観察されるようになり気温の高まりとともに増殖率が高まることが判明した。なお、ナスでのクロヒョウタンカスミカメの産卵位置は、ナスの葉の葉脈で確認された。
害虫であるシルバーリーフコナジラミの発生について、慣行栽培では粘着板への誘殺数は漸増し、３月以降は著しく多数発生した。これに対して、天敵クロヒョウタンカスミカメを放飼した区では発生が少なく推移し、増加が極めて顕著に抑制された。
また、花房中のミナミキイロアザミウマは、天敵区で発生が著しく少なく、慣行区では多かった。アブラムシ類は天敵放飼区で少なかったが、慣行区では一部にコロニー状に発生が認められた。ナスコナカイガラムシは慣行区に比べて天敵放飼区で寄生株が著しく少なく、天敵クロヒョウタンカスミカメによる害虫の高い防除効果が認められた。
実施例４のピーマンと同様に、本実施例のナスでもクロヒョウタンカスミカメの複数害虫への高い防除効果が認められた。なお、天敵放飼区では、農薬の散布は殺菌剤のみの散布であった。慣行区では毎週殺虫剤の散布を行った。
【表５】
2007297293.tif 000007
圃場における観察でも、クロヒョウタンカスミカメが、シルバーリーフコナジラミ幼虫を捕食する行動が頻繁に観察された。これらの結果から、クロヒョウタンカスミカメは、コナジラミ類、アザミウマ類、アブラムシ類、及びカイガラムシ類を餌として利用し、天敵昆虫として有効に使用できることが判明した。
【００４２】
（実施例６）  ピーマン栽培圃場におけるクロヒョウタンカスミカメの放飼後の分散と定着の確認
高知県にある面積２０００ｍ２のピーマン栽培圃場を供試圃場にして試験を行った。
ピーマン圃場の中央にクロヒョウタンカスミカメ成虫１００００頭を放飼し、毎日、放飼した中央部からの分散程度を同列方向は１０株間隔で、畝間は１畝毎に移動を調べた。対照として、無放飼区におけるクロヒョウタンカスミカメの生息も調べた。
【００４３】
結果を表６に示す。表６中の数値は、該当する場所でクロヒョウタンカスミカメが確認された、放飼後の日数を示す。
無放飼区でもクロヒョウタンカスミカメ成虫が若干株上に認められたものの、表６の通り、放飼区では毎日のように分布が拡大していることがわかった。
中央に放飼したクロヒョウタンカスミカメは１日後には列方向で１０株目に、３日後には５０株目に、５日後には８０株目に移動した。しかし、畝をまたいで移動する速度は遅く、７畝間を移動するのに７日間を要した。１１日後にはほぼ圃場全体に広がっていた。この広がりが比較的早い原因は、活動が活発であり、餌昆虫の探索能力が高いためと考えられた。
このことから、クロヒョウタンカスミカメの施設への放飼により、圃場全体に定着を図ることが可能であることが確認された。
【表６】
2007297293.tif 000008
【００４４】
（実施例７）  クロヒョウタンカスミカメ優良系統の選抜
クロヒョウタンカスミカメの優良系統を選抜する目的で次の試験を行った。
インゲンマメ葉にオンシツコナジラミの成虫１００頭を接種し、２５℃で１４日間放置したところ、幼虫が多数現れた。この幼虫を数えて３００頭に調整した後、各地（地点Ａ〜Ｆ）より採集したクロヒョウタンカスミカメの雄成虫と雌成虫各５頭を、セダム１株を入れた飼育ケージ内に放した。クロヒョウタンカスミカメを放してから５日後に、インゲン葉上に残ったオンシツコナジラミの死亡幼虫数（具体的には体液吸汁殻）を調べ、クロヒョウタンカスミカメによる捕食数を調べた。また、その後に孵化したクロヒョウタンカスミカメの次世代の幼虫数を数えた。
【００４５】
結果を表７に示す。表７の通り、捕食数と次世代幼虫数は、採集地点Ａ〜Ｆにより異なった。採集地点Ａは高知県を示し、採集地点Ｃは北海道を示す。
表７の結果に基づき、最も優良系統である地点Ａ（高知県）より採集した系統をクロヒョウタンカスミカメの人工増殖用系統とした。
一方、地点Ｃ（北海道）で採集したクロヒョウタンカスミカメには、１２℃、短日条件で休眠性が認められた。
【表７】
2007297293.tif 000009
【００４６】
（実施例８）  クロヒョウタンカスミカメの食性変化
実施例１により、優良系統のクロヒョウタンカスミカメの基本的生態が明らかになった。そこで、クロヒョウタンカスミカメの幼虫に最初の１０日間スジコナマダラメイガの卵を給餌した。この後コナジラミ類幼虫、アザミウマ類幼虫、アブラムシ類及びカイガラムシ類幼虫を同時に与え、各々の害虫に対する捕食能力を調べた（害虫給餌区）。比較のため、スジコナマダラメイガの卵のみを給餌し、その他の餌を与えなかったものについても同様に捕食能力を調べた（単食区）。
すなわち、害虫給餌区では、２５℃の容器内にクロヒョウタンカスミカメ幼虫を１０頭ずつ入れ、スジコナマダラメイガ卵で飼育し、１０日後にシルバーリーフコナジラミ、ミカンキイロアザミウマ幼虫、モモアカアブラムシ及びナスコナカイガラムシ幼虫を給餌し、捕食させた。その後、スジコナマダラメイガ卵の給餌を止めて各々の害虫のみの給餌とした。
【００４７】
結果を表８に示す。表８の通り、途中で害虫を給餌したクロヒョウタンカスミカメは、放飼までスジコナマダラメイガ卵のみを給餌したクロヒョウタンカスミカメよりも、各々の害虫の捕食数が著しく多くなり、高い捕食能力を示し、従って、害虫防除に高い抑制効果を示すことが確認された。
【表８】
2007297293.tif 000010
【図面の簡単な説明】
【００４８】
【図１】クロヒョウタンカスミカメ雌の卵、幼虫、成虫の発育速度と温度の関係を示すグラフである。グラフ中、菱型のプロットは卵の発育速度、四角のプロットは第１齢幼虫から成虫への発育速度、三角のプロットは卵から成虫への発育速度を示す。
【図２】クロヒョウタンカスミカメ雄の卵、幼虫、成虫の発育速度温度の関係を示すグラフである。グラフ中、菱型のプロットは卵の発育速度、四角のプロットは第１齢幼虫から成虫への発育速度、三角のプロットは卵から成虫への発育速度を示す。
【図１】
2007297293.tif 000011
【図２】
2007297293.tif 000012